【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】
入力されたデータから複数色の記録材の各色に対応した色数のデータを作成するデータ作成手段と、
前記作成されたデータのデータ量を判定するデータ量判定手段と、
前記データ量判定手段による判定結果、前記データ量があるサイズよりも大きい場合に、前記複数の記録材のうちある色を削減した色数分のデータを作成する低画質化処理手段と
を有することを特徴とするカラー画像処理装置。
【請求項２】
前記低画質化処理手段は、前記データ作成手段によりデータを作り直す処理もしくは前記データ作成手段により作成済みのデータの一部を変換して、前記削減した色数分のデータを作成する処理であることを特徴とする請求項１に記載のカラー画像処理装置。
【請求項３】
前記低画質化処理手段は、前記入力されたデータに応じた描画オブジェクトごとに処理を行うことを特徴とする請求項１に記載のカラー画像処理装置。
【請求項４】
前記低画質化処理手段は、さらに前記データのビット数または解像度を落す処理を行うことを特徴とする請求項１乃至３のいずれか１項に記載のカラー画像処理装置。
【請求項５】
入力されたデータから同系色の薄い記録材、濃い記録材を含む複数の記録材に対応した画像データを作成するデータ作成手段と、
前記画像データのデータ量を判定するデータ量判定手段と、
前記データ量判定手段による判定結果、前記データ量があるサイズよりも大きい場合、前記同系色の薄い記録材、濃い記録材に対応した画像データの一方を削減した色数分の画像データを生成する低画質処理手段と
を有することを特徴とするカラー画像処理装置。
【請求項６】
前記低画質化処理手段は、前記入力されたデータに応じた描画オブジェクトごとに処理を行うことを特徴とする請求項５に記載のカラー画像処理装置。
【請求項７】
前記低画質化処理手段は、さらに前記データのビット数または解像度を落す処理を行うことを特徴とする請求項５または６に記載のカラー画像処理装置。
【請求項８】
ＲＧＢデータを変換するに際して、薄いシアン、薄いマゼンタを含む複数色成分の画像データに変換する第一変換手段と、
前記ＲＧＢデータを変換するに際して、薄いシアン、薄いマゼンタを含まない複数色成分の画像データ変換する第二変換手段とを有し、
前記第一変換手段により、前記ＲＧＢデータを変換した際のデータ量があるデータ量より多い場合、前記第二変換手段を実行することを特徴とするカラー画像処理装置。
【請求項９】
入力されたデータから複数色の記録材の各色に対応した色数のデータを作成するデータ作成工程と、
前記作成されたデータのデータ量を判定するデータ量判定工程と、
前記データ量判定工程による判定結果、前記データ量があるサイズよりも大きい場合に、前記複数の記録材のうちある色を削減した色数分のデータを作成する低画質化処理工程と
を有することを特徴とするカラー画像処理方法。
【請求項１０】
入力されたデータから同系色の薄い記録材、濃い記録材を含む複数の記録材に対応した画像データを作成するデータ作成工程と、
前記画像データのデータ量を判定するデータ量判定工程と、
前記データ量判定工程による判定結果、前記データ量があるサイズよりも大きい場合、前記同系色の薄い記録材、濃い記録材に対応した画像データの一方を削減した色数分の画像データを生成する低画質処理工程と
を有することを特徴とするカラー画像処理方法。
【請求項１１】
ＲＧＢデータを変換するに際して、薄いシアン、薄いマゼンタを含む複数色成分の画像データに変換する第一変換工程と、
前記ＲＧＢデータを変換するに際して、薄いシアン、薄いマゼンタを含まない複数色成分の画像データ変換する第二変換工程とを有し、
前記第一変換工程により、前記ＲＧＢデータを変換した際のデータ量があるデータ量より多い場合、前記第二変換工程を実行することを特徴とするカラー画像処理方法。
【請求項１２】
入力されたデータから複数色の記録材の各色に対応した色数のデータを作成するデータ作成工程のコードと、
前記作成されたデータのデータ量を判定するデータ量判定工程のコードと、
前記データ量判定工程のコードによる判定結果、前記データ量があるサイズよりも大きい場合に、前記複数の記録材のうちある色を削減した色数分のデータを作成する低画質化処理工程のコードと
をコンピュータに実行させることを特徴とするカラー画像処理プログラム。
【請求項１３】
入力されたデータから同系色の薄い記録材、濃い記録材を含む複数の記録材に対応した画像データを作成するデータ作成工程のコードと、
前記画像データのデータ量を判定するデータ量判定工程のコードと、
前記データ量判定工程のコードによる判定結果、前記データ量があるサイズよりも大きい場合、前記同系色の薄い記録材、濃い記録材に対応した画像データの一方を削減した色数分の画像データを生成する低画質処理工程のコードと
をコンピュータに実行させることを特徴とするカラー画像処理プログラム。
【請求項１４】
ＲＧＢデータを変換するに際して、薄いシアン、薄いマゼンタを含む複数色成分の画像データに変換する第一変換工程のコードと、
前記ＲＧＢデータを変換するに際して、薄いシアン、薄いマゼンタを含まない複数色成分の画像データ変換する第二変換工程のコードとを有し、
前記第一変換工程のコードにより、前記ＲＧＢデータを変換した際のデータ量があるデータ量より多い場合、前記第二変換工程のコードをコンピュータに実行させることを特徴とするカラー画像処理プログラム。
【手続補正２】
【補正対象書類名】明細書
【補正対象項目名】発明の名称
【補正方法】変更
【補正の内容】
【発明の名称】カラー画像処理装置、カラー画像処理方法及びカラー画像処理プログラム
【手続補正３】
【補正対象書類名】明細書
【補正対象項目名】０００１
【補正方法】変更
【補正の内容】
【０００１】
【発明の属する技術分野】
本発明は、カラー画像処理技術に関するものである。
【手続補正４】
【補正対象書類名】明細書
【補正対象項目名】０００９
【補正方法】変更
【補正の内容】
【０００９】    
【課題を解決するための手段】
上記の課題を解決するために、本発明に係るカラー画像処理装置は、
入力されたデータから複数色の記録材の各色に対応した色数のデータを作成するデータ作成手段と、
前記作成されたデータのデータ量を判定するデータ量判定手段と、
前記データ量判定手段による判定結果、前記データ量があるサイズよりも大きい場合に、前記複数の記録材のうちある色を削減した色数分のデータを作成する低画質化処理手段と
を有することを特徴とする。
【手続補正５】
【補正対象書類名】明細書
【補正対象項目名】００１０
【補正方法】変更
【補正の内容】
【００１０】
あるいは、本発明に係るカラー画像処理装置は、
入力されたデータから同系色の薄い記録材、濃い記録材を含む複数の記録材に対応した画像データを作成するデータ作成手段と、
前記画像データのデータ量を判定するデータ量判定手段と、
前記データ量判定手段による判定結果、前記データ量があるサイズよりも大きい場合、前記同系色の薄い記録材、濃い記録材に対応した画像データの一方を削減した色数分の画像データを生成する低画質処理手段と
を有することを特徴とする。
【手続補正６】
【補正対象書類名】明細書
【補正対象項目名】００１１
【補正方法】変更
【補正の内容】
【００１１】
あるいは、本発明に係るカラー画像処理装置は、
ＲＧＢデータを変換するに際して、薄いシアン、薄いマゼンタを含む複数色成分の画像データに変換する第一変換手段と、
前記ＲＧＢデータを変換するに際して、薄いシアン、薄いマゼンタを含まない複数色成分の画像データ変換する第二変換手段とを有し、
前記第一変換手段により、前記ＲＧＢデータを変換した際のデータ量があるデータ量より多い場合、前記第二変換手段を実行することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
【発明の実施の形態】
以下、添付図面を参照して本発明の好適な実施の形態を詳細に説明する。
［第一の実施の形態］
本実施例では、本発明を、本発明の好適な実施形態であるカラーレーザビームプリンタ（以後カラーＬＢＰと記す）に適用した例を用いて説明する。